(57)【特許請求の範囲】
【請求項１】
表紙と本が、接着剤からなる接着層により接着され、
ベースフィルムと、前記ベースフィルム上に形成されたアンテナと、前記アンテナに接続するＩＣチップと、を有するＩＣタグが前記接着層に設けられ、
前記ＩＣタグの前記ベースフィルムが熱可塑性樹脂からなり、
前記ベースフィルムと前記接着層が融合し、前記ＩＣチップと前記アンテナとを包埋していることを特徴とする書籍。
【請求項２】
前記ベースフィルムが、ポリウレタン樹脂、エチレン−酢酸ビニル共重合樹脂、塩化ビニル樹脂、酢酸ビニル樹脂、ポリエチレン樹脂、ポリプロピレン樹脂であることを特徴とする請求項１記載の書籍。
【請求項３】
前記接着層と、前記ベースフィルムとが、同じ材料で形成されていることを特徴とする請求項１または請求項２記載の書籍。
【請求項４】
ベースフィルムと、前記ベースフィルム上に形成されたアンテナと、前記アンテナに接続するＩＣチップと、を有するＩＣタグを、前記ベースフィルムを外側に向けて、本の背中部に取り付ける工程（ａ）と、
前記背中部に接着層を形成する工程（ｂ）と、
前記背中部に表紙を固定する工程（ｃ）と、
を具備し、
前記ベースフィルムと前記接着層が、融合し、前記ＩＣチップと前記アンテナとを包埋することを特徴とする書籍の製造方法。
【請求項５】
本の背中部に接着層を形成する工程（ｄ）と、
ベースフィルムと、前記ベースフィルム上に形成されたアンテナと、前記アンテナに接続するＩＣチップと、を有するＩＣタグを、前記ベースフィルムを内側に向けて、前記背中部に取り付ける工程（ｅ）と、
前記背中部に表紙を固定する工程（ｆ）と、
を具備し、
前記ベースフィルムと前記接着層が、融合し、前記ＩＣチップと前記アンテナとを包埋することを特徴とする書籍の製造方法。
【請求項６】
ベースフィルムと、前記ベースフィルム上に形成されたアンテナと、前記アンテナに接続するＩＣチップと、を有するＩＣタグを、前記ベースフィルムを外側に向けて、表紙の背表紙部の裏側に取り付ける工程（ｇ）と、
本の背中部に接着層を形成する工程（ｈ）と、
前記背中部に前記表紙を固定する工程（ｉ）と、
を具備し、
前記ベースフィルムと前記接着層が、融合し、前記ＩＣチップと前記アンテナとを包埋することを特徴とする書籍の製造方法。
【発明の詳細な説明】
【技術分野】
【０００１】
本発明は、古紙リサイクルに適したＩＣタグ付き書籍などに関する。
【背景技術】
【０００２】
近年、バーコードに代えて、非接触で情報の読み出しおよび書き込みが可能なＩＣタグ（ＲＦＩＤタグ、無線タグ、非接触ＩＣ，非接触ＩＣタグなどと表現することもあるが、本明細書では総称して、「ＩＣタグ」とする。）を商品に付して市場で必要なさまざまな情報の管理を可能にすることが提案されている。書籍においても、ＩＣタグを取り付け、万引き防止機能を付与するのみならず、それらの流通や在庫・販売時点においても必要なさまざまな情報管理をすることが考えられている。そのため、書籍の販売段階でＩＣタグを取り付ける煩を避け、印刷または製本の工程でＩＣタグを取り付ける。（例えば、特許文献１参照）。
【０００３】
また、資源の有効利用を行うべく、書籍をはじめとする古紙から再生パルプを製造することが行われている。再生パルプの製造方法としては、古紙原料をパルパーで離解して繊維化する離解工程、得られたパルプ懸濁液からスクリーンにて異物を除去する除塵工程、パルプ懸濁液からフローテーターにてインキ成分を除去する脱墨工程を行い、漂白処理を経て再生パルプを得るのが一般的である（例えば、特許文献２参照）。
【０００４】
【特許文献１】特開２００４−２４９４９２号公報（第３頁）
【特許文献２】特開２００６−１８３２１０号公報（第２頁）
【発明の開示】
【発明が解決しようとする課題】
【０００５】
しかしながら、ＩＣタグのアンテナはアルミニウムなどの金属からなり、ＩＣタグのＩＣチップはシリコンからなるため、ＩＣタグのアンテナやＩＣチップは古紙再生工程においては不純物となる。アンテナやＩＣチップは、離解工程において１０〜２０μｍまで粉砕される。しかし、除塵工程においては、直径５０μｍ以上の不純物が除去され、脱墨工程においては、直径１０μｍ以下の粒子が除去される。そのため、古紙再生工程において、アンテナやＩＣチップの破片は除去されず、再生パルプに混入してしまうという問題があった。
【０００６】
本発明は、前述した問題点に鑑みてなされたもので、その目的とすることは、ＩＣタグのアンテナやＩＣチップが再生パルプに混入しにくいようにＩＣタグを取り付けた書籍などである。
【課題を解決するための手段】
【０００７】
前述した目的を達成するために、第１の発明は、表紙と本が、接着剤からなる接着層により接着され、ベースフィルムと、前記ベースフィルム上に形成されたアンテナと、前記アンテナに接続するＩＣチップと、を有するＩＣタグが前記接着層に設けられ、前記ＩＣタグの前記ベースフィルムが熱可塑性樹脂からなり、前記ベースフィルムと前記接着層が融合し、前記ＩＣチップと前記アンテナとを包埋していることを特徴とする書籍である。
また、前記ベースフィルムが、ポリウレタン樹脂、エチレン−酢酸ビニル共重合樹脂、塩化ビニル樹脂、酢酸ビニル樹脂、ポリエチレン樹脂、ポリプロピレン樹脂であることが望ましく、前記接着層と、前記ベースフィルムとが、同じ材料で形成されていてもよい。
【０００８】
第２の発明は、ベースフィルムと、前記ベースフィルム上に形成されたアンテナと、前記アンテナに接続するＩＣチップと、を有するＩＣタグを、前記ベースフィルムを外側に向けて、本の背中部に取り付ける工程（ａ）と、前記背中部に接着層を形成する工程（ｂ）と、前記背中部に表紙を固定する工程（ｃ）と、を具備し、前記ベースフィルムと前記接着層が、融合し、前記ＩＣチップと前記アンテナとを包埋することを特徴とする書籍の製造方法である。
【０００９】
第３の発明は、本の背中部に接着層を形成する工程（ｄ）と、ベースフィルムと、前記ベースフィルム上に形成されたアンテナと、前記アンテナに接続するＩＣチップと、を有するＩＣタグを、前記ベースフィルムを内側に向けて、前記背中部に取り付ける工程（ｅ）と、前記背中部に表紙を固定する工程（ｆ）と、を具備し、前記ベースフィルムと前記接着層が、融合し、前記ＩＣチップと前記アンテナとを包埋することを特徴とする書籍の製造方法である。
【００１０】
第４の発明は、ベースフィルムと、前記ベースフィルム上に形成されたアンテナと、前記アンテナに接続するＩＣチップと、を有するＩＣタグを、前記ベースフィルムを外側に向けて、表紙の背表紙部の裏側に取り付ける工程（ｇ）と、本の背中部に接着層を形成する工程（ｈ）と、前記背中部に前記表紙を固定する工程（ｉ）と、を具備し、前記ベースフィルムと前記接着層が、融合し、前記ＩＣチップと前記アンテナとを包埋することを特徴とする書籍の製造方法である。
【発明の効果】
【００１１】
本発明によれば、ＩＣタグのベースフィルムが、製本用接着剤と親和性の高い熱可塑性樹脂であるため、製本工程において、ＩＣタグのベースフィルムは、接着層と融合し、融合した接着層はＩＣタグのアンテナとＩＣチップを包埋する。そのため、古紙再生工程の除塵工程において、ＩＣタグのアンテナとＩＣチップは、接着層と一体化した状態で除去され、再生パルプへのアンテナとＩＣチップの破片の混入を防止することができる。
【発明を実施するための最良の形態】
【００１２】
以下図面に基づいて、本発明の実施形態を詳細に説明する。
【００１３】
第１の実施形態に係る書籍１について説明する。
なお、請求項における本は、丁合本４により構成される。
図１（ａ）は図２（ｄ）のＡ矢視図であり、丁合本４に表紙９を固定した直後の図である。丁合本４に粘着層１４を介して接着されているＩＣタグ６ａが、接着後に塗布された接着層５に覆われている。ＩＣタグ６ａは、ベースフィルム１７と、その上に形成されたアンテナ１５と、それに接続されたＩＣチップ１３と、ＩＣチップ１３とアンテナ１５とを覆うように形成された粘着層１４からなっている。この段階では、接着層５とベースフィルム１７はまだ融合していない。
図１（ｂ）は書籍１の図２（ｅ）のＢ矢視図であり、ベースフィルム１７と接着層５が融合し、接着層１９を形成している。また、接着層１９はＩＣチップ１３と、粘着層１４と、アンテナ１５とを包埋している。
【００１４】
接着層５としては、古紙再生工程で細裂化しにくく、スクリーンなどの除塵設備を通過しない難細裂性のホットメルト接着剤であれば特に限定されないが、好ましくは、ポリウレタン樹脂、エチレン−酢酸ビニル共重合樹脂、塩化ビニル樹脂、酢酸ビニル樹脂、ポリエチレン樹脂、ポリプロピレン樹脂および、これらを混合した樹脂である。
【００１５】
ベースフィルム１７としては、製本時の接着剤の温度である１５０℃〜１８０℃にて軟化する樹脂であり、接着層５と親和性が高い樹脂であれば特に限定されないが、好ましくはゼラチン、ポリウレタン樹脂、エチレン−酢酸ビニル共重合樹脂、塩化ビニル樹脂、酢酸ビニル樹脂、ポリエチレン樹脂、ポリプロピレン樹脂および、これらを混合した樹脂である。
【００１６】
ベースフィルム１７の材料と、接着層５の材料は、同じでもよいし、異なってもよい。
【００１７】
ＩＣチップ１３は、制御部、情報記憶のためのメモリ部、非接触型ＩＣ無線通信部などを備える。
【００１８】
粘着層１４は、水または弱アルカリ性水溶液中で、細かく分散するとともに非粘着化する粘着剤からなり、再生パルプに悪影響を与えない。粘着層１４としては、ポリアクリル酸エステル、ニトリルゴム、天然ゴム、シリコーン粘着剤、ポリ塩化ビニルなどの各種材料およびそれらの水性エマルジョン系の接着剤を使用する。
【００１９】
アンテナ１５は、ベースフィルム１７上にパターン形成されたアルミニウムや銅など金属の膜からなる、平面コイル状またはダイポール型のアンテナである。ＩＣチップ１３はアンテナ１５に、接続されている。
【００２０】
図２は、書籍１の製本工程を示す図である。図２（ａ）に示すように、一冊分のページがそろった丁合本４の背中部に、ＩＣタグ６ａを接着する。なお、丁合本４は、製本工程が完了するまで、クランパー（図示せず）により束ねられている。第１の実施形態においては、ベースフィルム１７が外側になるように、ＩＣチップ１３を丁合本４に向けて、ＩＣタグ６ａを固定する。
【００２１】
その後、図２（ｂ）に示すように、ロールコーター７により接着剤８を丁合本４の背中部に塗布し、接着層５を形成する。この際、ＩＣタグ６ａのベースフィルム１７の上に接着層５が塗布される。図２（ｃ）に示すように折り目１１を有する表紙９を丁合本４に接着層５を介して固定する。固定後の表紙９と丁合本４の位置関係は図２（ｄ）に示すようになる。その後、図２（ｅ）に示すように、表紙９を折り目１１にしたがって折り、書籍１が製本される。この段階で、図１（ｂ）に示すように、接着剤１９がＩＣチップ１３と粘着層１４とアンテナ１５とを包埋している。
【００２２】
第１の実施の形態における書籍１は、図１（ｂ）に示すように、ＩＣチップ１３とアンテナ１５は、接着層１９によって囲まれている。そのため、古紙再生工程の離解工程において接着層１９と一体化した状態を保ち、ＩＣチップ１３やアンテナ１５の破片がパルプ懸濁液中に混入することはない。その後、除塵工程において、接着層１９とＩＣチップ１３とアンテナ１５がまとめて除去可能になる。そのため、再生パルプにＩＣチップ１３とアンテナ１５の破片が混入することがなくなる。
【００２３】
次に第２の実施の形態に係る書籍２について説明する。
図３（ａ）は、図４（ｄ）のＣ矢視図である。丁合本４に接着層５を介して接着されているＩＣタグ６ｂが、接着後に塗布された接着層５に覆われている。ＩＣタグ６ｂは、ベースフィルム１７と、その上に形成されたアンテナ１５と、それに接続されたＩＣチップ１３と、からなっている。図３（ａ）においては接着層５とベースフィルム１７は融合していない。
図３（ｂ）は、図４（ｅ）のＤ矢視図であり、図３（ａ）の後に接着層５の熱によりベースフィルム１７が軟化し、両者が融合し、接着層１９となった図である。このとき、接着層１９はＩＣチップ１３とアンテナ１５を包埋し、更には丁合本４と表紙９を固定している。
【００２４】
第２の実施の形態においてＩＣタグ６ｂは、接着層５により丁合本４に固定されるため、ＩＣチップ１３の上に粘着層１４を設けても設けなくてもよい。
【００２５】
図４は、書籍２の製本工程を示す図である。以下の実施形態で第１の実施の形態にかかる書籍１と同一の様態を果たす要素には同一の番号を付し、重複した説明を避ける。図４（ａ）に示すように、丁合本４の背中部に、ロールコーター７を用いて接着剤８を塗布し、接着層５を形成する。その後、図４（ｂ）に示すように、接着層５が硬化する前にＩＣタグ６ｂを丁合本４の背中部に貼付する。図３（ａ）に示すように、ＩＣタグ６ｂは、ベースフィルム１７を内側とし、接着層５と接するように固定する。そのため、ＩＣチップ１３は外側になる。図４（ｃ）に示すように、丁合本４の背中部に折り目１１を有した表紙９を固定する。図４（ｄ）に示すような、表紙９と丁合本４の位置関係になる。その後、図４（ｅ）に示すように、表紙９を折り目１１にしたがって折る。この段階で、接着層１９はＩＣチップ１３とアンテナ１５を包埋している。
【００２６】
第２の実施の形態における書籍２は、図３（ｂ）に示すように、ＩＣチップ１３とアンテナ１５は、接着層１９によって一体化されているため、古紙再生工程の離解工程において、ＩＣチップ１３やアンテナ１５のみが破片になることはなく、接着層１９と一体化した状態が保持される。その後、除塵工程において、接着層１９とＩＣチップ１３とアンテナ１５とがまとめて除去される。そのため、ＩＣチップ１３やアンテナ１５の破片が再生パルプに混入することがない。
【００２７】
次に第３の実施形態に係る書籍３について説明する。
図５は、図６（ｃ）のＥ矢視図である。図５に示すように、ＩＣチップ１３、粘着層１４およびアンテナ１５は、接着層１９によって囲まれているため、古紙再生工程の離解工程においてもＩＣチップ１３やアンテナ１５が破片となって分散することはなく、接着層１９と一体化した状態が保持される。その後、除塵工程において、接着層１９とＩＣチップ１３とアンテナ１５がまとめて除去される。また、粘着層１４は古紙再生工程において、細かく分散されるため、再生パルプに悪影響を与えない。そのため、書籍３は古紙再生工程を阻害しない。
【００２８】
図６は書籍３の製本工程を示す図である。図６（ａ）に示すように、丁合本４に、ロールコーター７によって接着剤８を塗布し、接着層５を形成する。その後、図６（ｂ）に示すように、折り目１１の間に予めＩＣタグ６ｃを設けた表紙９を丁合本４に固定する。ＩＣタグ６ｃは、第１の実施の形態におけるＩＣタグ６ａを、粘着層１４を表紙９に接着させ、べ−スフィルム１７が外に露出するように、表紙９に固定したものである。その後、表紙９を折り目１１で折り曲げ、図６（ｃ）のように製本が完了する。この段階では、粘着剤１９が、ＩＣチップ１３と粘着層１４とアンテナ１５とを包埋している。
【００２９】
以上、添付図面を参照しながら、本発明にかかる書籍の好適な実施形態について説明したが、本発明は係る例に限定されない。当業者であれば、本願で開示した技術的思想の範疇内において、各種の変更例または修正例に想到しえることは明らかであり、それらについても当然に本発明の技術的範囲に属するものと了解される。
【図面の簡単な説明】
【００３０】
【図１】第１の実施の形態に係る書籍１の、（ａ）図２（ｄ）のＡ矢視図、（ｂ）図２（ｅ）のＢ矢視図。
【図２】第１の実施の形態に係る書籍１の製本工程を示す図。
【図３】第２の実施の形態に係る書籍２の、（ａ）図４（ｄ）のＣ矢視図、（ｂ）図４（ｅ）のＤ矢視図。
【図４】第２の実施の形態に係る書籍２の製本工程を示す図。
【図５】第３の実施の形態に係る書籍３の、図６（ｃ）のＥ矢視図。
【図６】第３の実施の形態に係る書籍３の製本工程を示す図。
【符号の説明】
【００３１】
１、２、３………書籍
４………丁合本
５………接着層
６………ＩＣタグ
７………ロールコーター
８………接着剤
９………表紙
１１………折り目
１３………ＩＣチップ
１４………粘着層
１５………アンテナ
１７………ベースフィルム
１９………ベースフィルムと融合した接着層
【図１】
0005233209.tif 000002
【図２】
0005233209.tif 000003
【図３】
0005233209.tif 000004
【図４】
0005233209.tif 000005
【図５】
0005233209.tif 000006
【図６】
0005233209.tif 000007